(57)【要約】【課題】視聴制限の設定を時間の単位で容易に行えるようにする。【解決手段】テレビジョン放送信号を受信する場合において、視聴制限時刻設定情報及び視聴制限設定解除のための暗証番号情報の入力を予め記憶させておき、記憶された視聴制限時刻情報中の視聴制限開始時刻情報と、現在時刻とを比較し、両時刻が一致すると判断した場合に視聴制限処理を行い、視聴制限がかけられた状態において、予め記憶された暗証番号情報と同一の暗証番号の入力を受け付けた場合には、視聴制限の解除を行うようにした。【選択図】図５
2007306428.tif 000002
【特許請求の範囲】
【請求項１】
テレビジョン放送信号を受信するチューナと、
視聴制限時刻設定情報及び視聴制限設定解除のための暗証番号情報の入力を受け付ける入力受け付け部と、
前記入力受け付け部で受け付けた前記視聴制限時刻設定情報及び前記暗証番号情報を記憶する記憶部と、
前記記憶部に記憶された前記視聴制限時刻情報中の視聴制限開始時刻情報と、現在時刻とを比較し、両時刻が一致すると判断した場合に視聴制限処理を行い、視聴制限がかけられた状態において、前記記憶部に記憶された暗証番号情報と同一の暗証番号の入力を受け付けた場合には、視聴制限の解除を行う制御部とを備えたことを特徴とする
テレビジョン放送受信装置。
【請求項２】
請求項１記載のテレビジョン放送受信装置において、
前記現在時刻は、前記チューナで受信したテレビジョン放送信号中に含まれる時刻情報を元に判断されることを特徴とする
テレビジョン放送受信装置。
【請求項３】
請求項１記載のテレビジョン放送受信装置において、
前記視聴制限がかけられた状態において、所定の時間暗証番号の入力を検知しなかった場合は、スタンバイ状態への切り替えを行うことを特徴とする
テレビジョン放送受信装置。
【請求項４】
請求項１記載のテレビジョン放送受信装置において、
前記視聴制限がかけられた状態において緊急警告放送を受信した場合には、前記視聴制限を解除することを特徴とする
テレビジョン放送受信装置。
【請求項５】
テレビジョン放送信号を受信するデジタル放送受信処理と、
視聴制限時刻設定情報及び視聴制限設定解除のための暗証番号情報の入力を受け付ける入力受け付け処理と、
前記入力受け付け処理で受け付けた前記視聴制限時刻設定情報及び前記暗証番号情報を記憶する記憶処理と、
前記記憶部処理で記憶された前記視聴制限時刻情報中の視聴制限開始時刻情報と、現在時刻とを比較し、両時刻が一致すると判断した場合に視聴制限処理を行い、視聴制限がかけられた状態において、前記記憶処理で記憶された暗証番号情報と同一の暗証番号の入力を受け付けた場合には、視聴制限の解除を行う視聴制限制御処理とを行うことを特徴とする
視聴制限方法。
【発明の詳細な説明】
【技術分野】
【０００１】
本発明は、テレビジョン放送受信装置及び視聴制限方法に関し、特にテレビジョン放送の視聴を制限する技術に関する。
【背景技術】
【０００２】
従来、放送局より放送される各種番組のうち、特に年齢の若い視聴者に対して好ましくない内容を含んだ番組に対し、映像や音声の再生を制限する手法として、ペアレンタルロック（視聴年齢制限）が知られている。ペアレンタルロックとは、特定の番組に対し、予め登録してある暗証番号を入力しない限り放送を閲覧できないようにする機能であり、その設定は、放送局により提供されるレイティングデータを利用して行われる。レイティングデータとは、各番組がその内容に応じて幾つかの段階に格付け（レイティング）された結果のレイティングレベル情報であり、レイティングレベルによって、各番組は、例えば年齢に関係なく誰でも視聴してよい番組や、１３才以上であれば視聴してよい番組などに分けられる。
【０００３】
特許文献１には、レイティングデータが予め設定された所定の条件を満たす場合に、そのレイティングデータに対応する番組のチャンネルを、チューナが使用できない状態にすることについての開示がある。
【特許文献１】特開２００４−１８７３２８号公報
【発明の開示】
【発明が解決しようとする課題】
【０００４】
ところで、視聴年齢に関係なく、単純な時間の区切りで視聴の制限をかけたい場合にも、ペアレンタルロックの設定を適用するしかなく、その場合は、時間に関係なく番組単位で視聴の制限がかかったり、視聴の制限を行いたい時間を過ぎても番組が放映されてしまったりする等の問題があった。
【０００５】
本発明はかかる点に鑑みてなされたものであり、視聴制限の設定を時間の単位で容易に行えるようにすることを目的とする。
【課題を解決するための手段】
【０００６】
本発明は、テレビジョン放送信号を受信する場合において、視聴制限時刻設定情報及び視聴制限設定解除のための暗証番号情報を予め記憶させておき、記憶された視聴制限時刻情報中の視聴制限開始時刻情報と、現在時刻とを比較し、両時刻が一致すると判断した場合に視聴制限処理を行い、視聴制限がかけられた状態において、予め記憶された暗証番号情報と同一の暗証番号の入力を受け付けた場合には、視聴制限の解除を行うようにしたものである。
【０００７】
このようにしたことで、視聴制限を開始させたい時刻が訪れた場合に、予め登録されている視聴制限時刻設定情報としての視聴制限開始時時刻と、現在時刻とが一致したと判断され、視聴制限処理が実施されるようになる。また、視聴制限時間中に暗証番号の入力を受け付けた場合は、視聴制限が解除される。
【発明の効果】
【０００８】
本発明によると、予め設定しておいた視聴制限開始時刻が訪れた場合に、視聴制限処理が実施されるようになるため、視聴制限の開始時刻及び終了時刻を設定するのみの簡単な操作で、確実に視聴制限をかけることが可能となる。
【０００９】
この場合、予め登録しておいた暗証番号を入力するという簡単な操作で、視聴制限の解除を行うことができるようになる。
【発明を実施するための最良の形態】
【００１０】
以下、本発明の一実施の形態を、添付図面を参照して説明する。
【００１１】
図１は、本例の処理構成を適用したテレビジョン受像機の構成例を示した図である。本例のテレビジョン受像機１００は、アンテナ１０１とチューナ１０２とを備え、アンテナ１０１は、チューナ１０２で選局されたチャンネルの電波を受信する。アンテナ１０１が受信する電波は例えばＭＰＥＧ２方式で符号化されており、アンテナ１０１が受信した電波はチューナ１０２で復調され、放送局より送り出されたＴＳ（Transport Stream）パケットに戻される。多重分離部１０３では、ＴＳパケットに含まれる、映像、音声、データ放送のデータ、ＳＩ（Service Information：番組配列情報）などの多重化された情報をそれぞれ分離し、映像・音声パケットであれば音声・映像信号復号部１０４に送り、データのパケットであれば制御部１２０に送るようにしてある。
【００１２】
音声・映像信号復号部１０４では、音声信号及び映像信号を復号し、音声であればスピーカ１０５から出力させ、映像であれば画像表示処理部１０６に送る。画像表示処理部１０６は、音声・映像信号復号部１０４で復号された映像信号と、制御部１２０で処理された字幕やデータ放送の画像などを重畳し、表示部１０８に送るようにしてある。表示部１０８は、例えば液晶パネルやＰＤＰ（plasma display panel）などで構成されており、画像表示処理部１０６から送られたデータを動画や静止画として表示する。
【００１３】
メモリ１０７は、ＲＯＭ（Read Only Memory）やＲＡＭ（Random Access Memory）等で構成され、各種処理プログラムの格納や受信機設定内容の保存などがされる他、後述する視聴時刻制限設定情報や暗証番号などの情報を記憶させるようにしてある。通信部１０９は、モデムやネットワークカード等で構成されており、電話線やインターネットなどに接続して、データ放送の双方向サービスにおける通信等を行うようにしてある。リモートコントロール信号受信部１１０は、入力受け付け部として設けられてあり、リモートコントローラ（図示せず）からの信号を受信し、その制御は制御部１２０によって行われるようにしてある。後述する視聴時刻制限の設定なども、リモートコントローラの操作により受け付けるようにしてあり、リモートコントローラより受け付けた指示は、リモートコントロール信号受信部１１０を介して制御部１２０に伝えられるようにしてある。制御部１２０は、上述した各処理の制御を行う他、後述する視聴時刻制限時における視聴制限処理等も行うようにしてある。
【００１４】
次に、図２のフローチャートを参照して、視聴時刻制限の設定例について説明する。まず、ユーザがリモートコントローラの所定のボタンを押下することで送信されるリモートコントロール信号が、リモートコントロール信号受信部１１０で受信されたことが、制御部１２０によって判断されると、画像表示処理部１０６の処理に基づき、表示部１０８にメニュー画面が表示される（ステップＳ１１）。次に、表示部１０８に表示されたメニュー画面の中から、ユーザの所定の操作により「視聴時間制限設定メニュー」が選択されると（ステップＳ１２）、画像表示処理部１０６の処理に基づき、表示部１０８に暗証番号の設定を促すメッセージが表示される（ステップＳ１３）。ここでいう暗証番号とは、後述する視聴制限設定解除の際に使用される暗証番号である。ユーザによりリモートコントローラを介して暗証番号の入力がなされると、入力された暗証番号は、制御部１２０の制御に基づきメモリ１０７に記憶される。暗証番号が入力された後は、画像表示処理部１０６の処理に基づき、表示部１０８に視聴時刻制限設定の画面が表示される。ユーザによりリモートコントローラを介して視聴時刻制限の入力がなされると、入力された視聴時刻制限情報はメモリ１０７に記憶される。
【００１５】
図３（ａ）及び（ｂ）に、ステップＳ１１で表示されるメニュー画面の例を示してある。図３（ａ）は、表示設定、録画設定、接続機器設定等の項目で構成されるメニュー画面であり、「その他設定」の配下に「暗証番号設定」や「視聴年齢制限設定」などのメニューと共に、「視聴時間制限設定」の項目が登録されている様子を示してある。図３（ｂ）は、メニュー画面の中から「視聴時間制限設定」が選択された例を示してある。図３（ｃ）には、視聴時刻制限設定画面の例を示してあり、リモートコントローラからの数字入力もしくは上下キーの移動により、この画面上で視聴の制限を行いたい時刻の開始時刻と、終了時刻とを登録できるようにしてある。図３（ｃ）では視聴の制限を行いたい時刻の開始時刻と、終了時刻とを設定できるようにしたが、曜日や日付の設定を行えるようにしてもよく、「平日のみ」、「休日のみ」、「毎日」、などの繰り返し設定を行えるようにしてもよい。図４には、ステップＳ１３で表示される「暗証番号設定」の画面の例を示してある。図４では、暗証番号を４桁に設定してあるが、３桁や６桁等、他の桁数で設定するようにしてもよい。
【００１６】
次に、図５のフローチャートを参照して、視聴時間制限処理の例について説明する。まず、ステップＳ２１で、現在時刻がメモリ１０７に記憶された視聴制限の開始時刻と同じであるかの判断がなされる。現在時刻は、放送局より５秒おきに送信されるＴＯＴ（Time Offset Table）内に記述されており、ＴＯＴは、ＳＩの一構成要素として、ＴＳパケット中に多重化されて送信される。ＴＯＴに記述された時刻と、メモリ１０７に記憶された視聴制限の開始時刻とが一致したと制御部１２０で判断された場合に、視聴制限時間開始のメッセージ及び暗証番号入力の入力を促すメッセージが表示部１０８に表示される（ステップＳ２２）。
【００１７】
このとき表示される画面の例を、図６に示してある。「視聴制限の時刻になりました。視聴する場合は、暗証番号を入れて下さい」というメッセージと共に、４桁の暗証番号の入力欄が表示されている。
【００１８】
図５のフローチャートに戻って説明を続けると、ステップＳ２２で表示された画面が表示されている間、ユーザからの暗証番号入力の有無が監視され（ステップＳ２３）、暗証番号の入力が確認されなかった場合は、未入力の時間が１０分を経過しているか否かが判断される（ステップＳ２４）。経過していない場合は引き続き暗証番号入力を受け付ける画面が表示され、１０分が経過したと判断された場合は、制御部１２０の制御に基づき、スタンバイ画面への切り替えが行われる（ステップＳ２５）。その後、ユーザより電源オンの操作がなされるかの判断がされ（ステップＳ２６）、操作を検知できなかった場合は、制御部１２０の制御に基づき、テレビジョン放送受信装置１００の電源が落とされる（ステップ２７）。電源オンの操作がなされた場合は、ステップＳ２１へ戻る。なお、本例では暗証番号未入力の時間を１０分と設定したが、暗証番号未入力時間の設定は、これに限られないものとする。
【００１９】
ステップＳ２３で、ユーザからの暗証番号の入力が確認された場合は、入力された暗証番号とメモリ１０７に記憶された暗証番号とが一致するか否かの判断がなされる（ステップＳ２８）。暗証番号が異なると判断された場合は、引き続き暗証番号入力の画面が表示される。暗証番号が一致すると判断された場合は、視聴制限が解かれ、引き続き視聴可能な状態となる（ステップＳ２９）。その後、ユーザより電源オフの操作がなされるかの判断がされ（ステップＳ３０）、電源オフの操作が検知された場合は、制御部１２０の制御に基づき、テレビジョン放送受信装置１００の電源が落とされる（ステップ２７）。電源オフの操作がなされず、引き続き視聴が続けられた場合は、ステップＳ２１へ戻る。
【００２０】
また、視聴制限がかけられている状態において、緊急警告放送の開始信号を受信した場合は視聴制限の制限を解くようにしてあり、この場合の処理例を図７のフローチャートに示してある。緊急警告放送開始時には、放送局は、ＴＭＣＣ（Transmission and Multiplexing）信号中の緊急警報放送識別子の値を「１：起動制御あり」に変更して、信号を送信する。ステップＳ４１では、放送局より受信したＴＭＣＣ信号中の緊急警報放送識別子の値を確認するという手法で、制御部１２０によって緊急警告放送の開始が監視されており、緊急警告放送の開始が確認された場合は、画像表示処理部１０６の処理に基づいて、表示部１０８に緊急警告放送を放映するか否かを確認するメッセージが表示される（ステップＳ４２）。ここで表示部１０８に表示されるメッセージの例を図８に示してある。「緊急警告放送が開始されました。放送を見ますか？」というメッセージが表示してあり、「見る」又は「戻る」ボタンの選択により、緊急警告放送を閲覧するか否かをユーザ側で選択できるようにしてある。
【００２１】
図７のフローチャートに戻って説明を続けると、緊急警告放送を閲覧するか否かの選択が要求される状態で（ステップＳ４３）、ユーザにより「見る」ボタンが選択されると、表示部１０８にて緊急警告放送が放映される（ステップＳ４４）。ユーザにより「戻る」ボタンが選択されて緊急警告放送の閲覧が拒否されると、視聴制限がかけられた状態に戻り、表示部１０８に暗証番号の入力を促す画面が再び表示される（ステップＳ４６）。
【００２２】
緊急警告放送の開始と同様に、緊急警告放送の終了も緊急警報放送識別子の値の変化によって判断可能であり、緊急警告放送の終了は、緊急警報放送識別子の値が「１：起動制御あり」から「０：起動制御なし」に変更されることで通知される。緊急警告放送の終了が制御部１２０によって監視されている状態で（ステップＳ４５）、緊急警告放送の終了が認識されると、暗証番号の入力を促す画面が再び表示部１０８に表示される（ステップＳ４６）。緊急警告放送の終了が認識されない間は、緊急警告放送が放映される。
【００２３】
このように本例のテレビジョン放送受信装置によると、ビデオ録画予約における操作と同様に、時刻の設定を行うだけで視聴制限の設定を行えるようになるため、ユーザの利便性が向上する。
【００２４】
また、時刻を設定することにより、指定された時刻に必ず視聴制限が開始されるため、消灯時刻が決まっている病院などで、決められた時刻の到来時に確実に視聴制限を開始させることが可能となる。
【００２５】
また、視聴制限開始後一定時間が経過した段階で自動的にスタンバイ状態に切り替わるようにしてあるため、消費電力を抑制することができる。
【００２６】
なお、ここまで説明した実施の形態では、受信する放送サービスとして、チューナで直接放送波を受信して、その受信した放送信号から映像信号及び音声信号を得て、表示や音声出力を行う場合の視聴制限処理について説明したが、例えば、インターネットに接続可能なテレビジョン受像機として構成して、インターネット上の放送サービスに準じた映像配信が行われる所定のサイトより、所定の番組を受信する場合の視聴制限処理にも適用可能である。
【図面の簡単な説明】
【００２７】
【図１】本発明の一実施の形態によるテレビジョン放送受信装置の構成例を示すブロック図である。
【図２】本発明の一実施の形態による視聴時間制限設定の例を示すフローチャートである。
【図３】本発明の一実施の形態による視聴時間制限設定画面の例を示す説明図である。
【図４】本発明の一実施の形態による暗証番号入力画面の例を示す説明図である。
【図５】本発明の一実施の形態による視聴制限処理例を示すフローチャートである。
【図６】本発明の一実施の形態による視聴時刻制限開始メッセージの表示例を示す説明図である。
【図７】本発明の一実施の形態による緊急警告放送受信時の処理例を示すフローチャートである。
【図８】本発明の一実施の形態による緊急警告放送受信時の画面の例を示す説明図である。
【符号の説明】
【００２８】
１００…テレビジョン受像機、１０１…アンテナ、１０２…チューナ、１０３…多重分離部、１０４…音声・映像信号復号部、１０５…スピーカ、１０６…画像表示処理部、１０７…メモリ、１０８…表示部、１０９…通信部、１１０…リモートコントロール信号受信部、１２０…制御部
【図１】
2007306428.tif 000003
【図２】
2007306428.tif 000004
【図３】
2007306428.tif 000005
【図４】
2007306428.tif 000006
【図５】
2007306428.tif 000007
【図６】
2007306428.tif 000008
【図７】
2007306428.tif 000009
【図８】
2007306428.tif 000010